(57)【要約】【課題】  携帯端末の所持者が金融機関などからの情報を安価に効率よく、しかも安全に利用できる自動取引装置及び自動取引システムを提供する。【解決手段】  情報要求信号受信手段１１は、携帯端末２０からの情報要求信号を受信し、情報提供手段１２は、ネットワーク上の情報をダウンロードし、ダウンロードした情報を、情報要求信号を送信した携帯端末２０に送信する。これにより、金融機関のＷｅｂサイトなどからの情報提供を受ける際に、携帯端末の所持者が負担する通話料が削減される。また、並列処理制御手段１４により、情報のダウンロード中でも、利用者による取引処理を並行して行う。また、情報提供手段１２は、専用線により接続されたホストコンピュータ３０を介して情報のダウンロードを行う。【選択図】  図１
2005339073.tif 000002
【特許請求の範囲】
【請求項１】
利用者による操作入力に応じて前記利用者との所定の取引処理を実行する自動取引装置において、
携帯端末から情報要求信号を受信する情報要求信号受信手段と、
ネットワーク上の情報をダウンロードし、ダウンロードした前記情報を、前記情報要求信号を送信した前記携帯端末に送信する情報提供手段と、
を有することを特徴とする自動取引装置。
【請求項２】
前記情報のダウンロードと、前記取引処理を並列に行う並列処理制御手段、
を有することを特徴とする請求項１記入の自動取引装置。
【請求項３】
前記情報要求信号受信手段または前記情報提供手段は、前記携帯端末との間で無線通信により前期情報要求信号または前記情報の送受信を行うことを特徴とする請求項１記入の自動取引装置。
【請求項４】
前記情報提供手段は、専用線により接続されたホストコンピュータを介して前記情報のダウンロードを行うことを特徴とする請求項１記入の自動取引装置。
【請求項５】
利用者による操作入力に応じて前記利用者との所定の取引処理を実行する自動取引システムにおいて、
情報要求信号を送信する携帯端末と、
前記情報要求信号を受信し、ネットワーク上の情報をダウンロードし、ダウンロードした前記情報を、前記情報要求信号を送信した前記携帯端末に送信する自動取引装置と、
を有することを特徴とする自動取引システム。
【発明の詳細な説明】
【技術分野】
【０００１】
本発明は自動取引装置及び自動取引システムに関し、特に、利用者による操作入力に応じて利用者との所定の取引処理を実行する自動取引装置及び自動取引システムに関する。
【背景技術】
【０００２】
銀行、郵便局、証券会社などの金融機関では、現金、または、証券などの金融ドキュメントを取り扱う自動取引装置（以下ＡＴＭと称する）が設置されている。このようなＡＴＭにおいて、取引時間を利用した、顧客への新しいサービスの提供が求められており、様々な機能を有したＡＴＭが登場している（例えば、特許文献１参照）。
【０００３】
一方で、近年、携帯電話やＰＤＡ（Personal Data Assistance）などに代表される携帯端末を用いて、金融取引を行うことが可能になってきている。携帯端末により金融取引を行う場合、携帯端末のブラウザ機能を用いてインターネットに接続することで金融機関のＷｅｂサイトを参照し、そのＷｅｂサイトから各種情報をダウンロードしていた。
【特許文献１】特開平１１−５３６１１号公報
【発明の開示】
【発明が解決しようとする課題】
【０００４】
しかし、従来、携帯端末で金融機関との情報の送受信を行う場合、ブラウザを用いた通話料が高額になってしまうという問題があった。
また、携帯端末を用いた場合、回線インフラなどの都合で、大容量のコンテンツの送受信には向いていないという問題があった。
【０００５】
さらには、電話回線などの公衆回線を用いるためにセキュリティ上の問題があった。
本発明はこのような点に鑑みてなされたものであり、携帯端末の所持者が金融機関などからの情報を安価に効率よく、しかも安全に利用できる自動取引装置及び自動取引システムを提供することを目的とする。
【課題を解決するための手段】
【０００６】
本発明では上記問題を解決するために、利用者による操作入力に応じてその利用者との所定の取引処理を実行する自動取引装置において、図１に示すように、携帯端末２０から情報要求信号を受信する情報要求信号受信手段１１と、ネットワーク（図１ではインターネット３２としている）上の情報をダウンロードし、ダウンロードした情報を、情報要求信号を送信した携帯端末２０に送信する情報提供手段１２と、を有することを特徴とする自動取引装置１０が提供される。
【０００７】
上記の構成によれば、情報要求信号受信手段１１は、携帯端末２０からの情報要求信号を受信し、情報提供手段１２は、ネットワーク上の情報をダウンロードし、ダウンロードした情報を、情報要求信号を送信した携帯端末２０に送信する。これにより、金融機関のＷｅｂサイトなどからの情報提供を受ける際に、携帯端末の所持者が負担する通話料が削減される。
【０００８】
また、本発明では、情報のダウンロードと、取引処理を並列に行う並列処理制御手段１４を有する自動取引装置１０が提供される。これにより、情報のダウンロード中でも、利用者による取引処理が並行して行われる。
【０００９】
また、本発明では、情報提供手段１２が、専用線により接続されたホストコンピュータ３０を介して情報のダウンロードを行うことを特徴とする自動取引装置１０が提供される。専用線を用いるので、情報のセキュリティが高まる。
【発明の効果】
【００１０】
本発明のＡＴＭは、携帯端末からの情報要求信号を受信すると、ネットワーク上の情報をダウンロードし、ダウンロードした情報を、情報要求信号を送信した携帯端末２０に送信するので、金融機関のＷｅｂサイトなどからの情報提供を受ける際に、携帯端末の所持者が負担する通話料が削減することができる。
【００１１】
また、情報のダウンロードと取引処理を並列に行うので、情報のダウンロード中でも、利用者による取引処理が並行して行われ、効率のよい処理を行うことができ、ＡＴＭの行列などを解消することができる。
【００１２】
また、本発明のＡＴＭは、ＡＴＭと専用線により接続されたホストコンピュータを介して情報のダウンロードを行うので、情報のセキュリティを高めることができる。
【発明を実施するための最良の形態】
【００１３】
以下、本発明の実施の形態を図面を参照して詳細に説明する。
図１は、本発明の実施の形態のＡＴＭの機能を示す機能ブロック図である。
本発明の実施の形態のＡＴＭ１０は、携帯端末２０から情報要求信号を受信する情報要求信号受信手段１１と、インターネット３２上の情報（以下コンテンツと呼ぶ場合もある）をダウンロードし、ダウンロードしたコンテンツを、情報要求信号を送信した携帯端末２０に送信する情報提供手段１２と、利用者との取引処理を行う顧客取引処理手段１３と、コンテンツのダウンロードと取引処理を並列に行う並列処理制御手段１４と、を有する。
【００１４】
情報要求信号受信手段１１は、携帯電話、ＰＤＡなどの携帯端末２０から、金融機関のＷｅｂサイトなどからの情報提供を要求する信号である情報要求信号を、例えば、赤外線やＢｌｕｅｔｏｏｔｈなどの無線通信により受信する。
【００１５】
情報提供手段１２は、インターネット３２上からコンテンツをダウンロードして、携帯端末２０に、例えば、赤外線やＢｌｕｅｔｏｏｔｈなどの無線通信により提供する。ダウンロードするコンテンツとしては、金融機関との過去の取引履歴、取引パンフレット、各種変更届けのフォーマットなど、さまざまなＷＥＢ上の情報、金融機関固有の情報があげられる。これらは、携帯端末２０からの情報要求信号で指定されていてもよいし、ＡＴＭ１０で指定するようにしてもよい（後述する）。なお、情報提供手段１２は、専用線によって接続されたホストコンピュータ３０を介してコンテンツのダウンロードを行う。
【００１６】
顧客取引処理手段１３は、引き出し、預け入れ、振込、残高照会、通帳記入など、通常の取引処理を行う。
並列処理制御手段１４は、情報提供手段１２によるコンテンツのダウンロードを、顧客取引処理手段１３での取引処理と並列に行うように制御する。
【００１７】
また、ホストコンピュータ３０は、例えば、Ｗｅｂサーバ３１と接続されている。ダウンロードするコンテンツは、それが存在するインターネット３２上のＷｅｂサイトからＷｅｂサーバ３１に一旦ダウンロードされる。
【００１８】
以下、本発明の実施の形態のＡＴＭ１０の動作を説明する。
情報要求信号受信手段１１により、携帯端末２０からの情報要求信号を受信すると、情報提供手段１２は、携帯端末２０に提供するコンテンツに関する情報をホストコンピュータ３０に通知する。その情報は、ＷＥＢサーバ３１に転送される。ここで、Ｗｅｂサーバ３１は、指定されたコンテンツが存在するＷｅｂサイトにアクセスして、コンテンツをダウンロードする。ＷＥＢサーバ３１にダウンロードされたコンテンツは、ホストコンピュータ３０を介してＡＴＭ１０に送信される。情報提供手段１２は、受信したコンテンツを携帯端末２０に無線通信により送信する。
【００１９】
一方、顧客取引処理手段１３は、並列処理制御手段１４の制御のもと、コンテンツのダウンロードの最中も、引き出し、預け入れ、振込、残高照会、通帳記入など、通常の取引処理を行う。
【００２０】
以上のように、本発明の実施の形態のＡＴＭ１０では、携帯端末２０の情報要求信号を受信して、コンテンツをダウンロードして携帯端末２０に提供するので、携帯端末２０はインターネット３２に接続する際の通話料がかからない。しかもＡＴＭ１０がもつ専用線により、高速かつ大量のコンテンツの送受信が可能であり、情報のセキュリティも高い。
【００２１】
また、通常の顧客取引処理と、コンテンツのダウンロードを並列に行うので、ダウンロードしているときでも、次の顧客による取引が可能になり、行列などを解消することも可能である。
【００２２】
以下、本発明の実施の形態の詳細を説明する。
図２は、本発明の実施の形態のＡＴＭを用いたシステム構成例である。
ＡＴＭ１００と、携帯端末２００と、ホストコンピュータ３００と、Ｗｅｂサーバ３１０からなる。また、通信回線の入出力処理をホストコンピュータ３００に代わって行うＦＥＰ３２０（Front End Processor）を有している。
【００２３】
ＡＴＭ１００は、銀行や証券会社などの金融機関や、コンビニエンスストアなどに設置される。説明を簡略化するため１つのみ示したが複数あってもよい。ＡＴＭ１００は、専用線により、ＦＥＰ３２０を介してホストコンピュータ３００と接続される。ホストコンピュータ３００は、ＡＴＭ１００を利用する顧客の情報（パスワードなど）を管理し、顧客の認証処理などを行う。また、ホストコンピュータ３００は、Ｗｅｂサーバ３１０に接続されている。Ｗｅｂサーバ３１０は、インターネット３３０に接続される。
【００２４】
図３は、本発明の実施の形態のＡＴＭの斜視図である。
ＡＴＭ１００は、タッチパネルを具備した顧客操作画面１０１と、現金を入出金する現金入出金部１０２と、通帳を受け付ける通帳受付部１０３と、キャッシュカードなどを受け付けるカード受付口１０４と、レシートを発行するレシート発行口１０５、携帯端末２００との無線通信を行う無線通信部１０６を有する。
【００２５】
図４は、ＡＴＭの構成を示すブロック図である。
ＡＴＭ１００は、主制御部１１１、記憶部１１２、入力部１１３、表示部１１４、入出金処理部１１５、通帳記入処理部１１６、カード読取部１１７、レシート発行部１１８、専用線通信処理部１１９と、無線通信処理部１２０と、を有する。
【００２６】
主制御部１１１は、ＣＰＵ（Central Processing Unit）などからなり、記憶部１１２に格納されているプログラムや、各種データに応じて、ＡＴＭ１００の各部を制御する。
記憶部１１２は、各種データや入出金取引などの各処理を行うためのプログラムを格納する。
【００２７】
入力部１１３は、例えば、図３の顧客操作画面１０１上に配置されたタッチパネルなどである。
表示部１１４は、主制御部１１１の描画命令に応じて顧客操作画面１０１上に取引内容などを表示する。
【００２８】
入出金処理部１１５は、主制御部１１１の制御のもと、現金入出金部１０２から投入された現金を計数して、図示しない現金格納部に格納する。また、図示しない現金格納部から現金を計数して取り出し、現金入出金部１０２に排出する。
【００２９】
通帳記入処理部１１６は、通帳受付部１０３に挿入された通帳に対して、通帳記入処理を行い、通帳受付部１０３から送出する。
カード読取部１１７は、カード受付口１０４から挿入されたカードの磁気ストライプを読み取ることでカード情報を読み取る。
【００３０】
レシート発行部１１８は、取引確認のためのレシートを発行し、レシート発行口１０５から発行する。
専用線通信処理部１１９は、専用回線によってＦＥＰ３２０を介して金融機関のホストコンピュータ３００と接続する。
【００３１】
無線通信処理部１２０は、無線通信部１０６から、携帯端末２００からの無線信号（例えば、赤外線、Ｂｌｕｅｔｏｏｔｈ信号など）を受信するとともに、携帯端末２００へ情報を無線信号により送信する。
【００３２】
なお、図１の情報要求信号受信手段１１は、無線通信処理部１２０が、主制御部１１１の制御のもと動作することにより実現される。また、情報提供手段１２は、入力部１１３、専用線通信処理部１１９、無線通信処理部１２０などが、主制御部１１１の制御のもと動作することにより実現される。また、顧客取引処理手段１３は、入力部１１３、表示部１１４、入出金処理部１１５、通帳記入処理部１１６、カード読取部１１７、レシート発行部１１８などが、主制御部１１１の制御のもと動作することにより実現される。また、並列処理制御手段１４の機能は、主制御部１１１により実現される。
【００３３】
以下、ＡＴＭ１００の処理を説明する。
例えば、顧客が、カードをカード受付口１０４より挿入すると、ＡＴＭ１００の取引が開始される。なお、顧客の携帯端末２００より、情報要求信号を無線通信によりＡＴＭ１００に送信した際に取引を開始するようにしてもよい。取引が開始すると、表示部１１４は、取引内容の一覧を、顧客操作画面１０１上に表示する。
【００３４】
図５は、取引選択画面の例である。
取引内容の一覧を表示した取引選択画面４０１には、通常の、引き出し、預け入れ、振込、残高照会、通帳記入、などの取引のほか、例えば、“携帯端末へデータ転送”という選択項目が表示される。
【００３５】
利用者は、このような取引選択画面４０１上に表示された各項目に触れるなどして、取引内容を選択する。
まず、取引選択画面４０１において、“携帯端末へデータ転送”が選択された場合について説明する。このとき、表示部１１４は、ダウンロード可能なコンテンツの一覧を顧客操作画面１０１上に表示する。
【００３６】
図６は、ダウンロードコンテンツ選択画面である。
ダウンロードコンテンツ選択画面４０２には、例えば、金融機関固有の情報である取引履歴、変更届け出フォーム、カタログ／パンフレットなど、ダウンロード可能なコンテンツの一覧が表示される。ここで、利用者は、ダウンロードコンテンツ選択画面４０２上に表示された各項目に触れるなどして、ダウンロードしたいコンテンツを選択する。また、“中止”を選択すると、コンテンツの選択を終了し、例えば、図５の取引選択画面４０１の表示に戻る。ここで、“送信”を選択すると、選択したコンテンツの携帯端末２００へのダウンロードが開始する。なお、携帯端末２００は、ダウンロードが開始されるまでに、情報要求信号を予め無線通信によりＡＴＭ１００に送信して、コンテンツの受信が可能な状態（受信モード）にしておく。
【００３７】
ダウンロードが開始されると、選択されたコンテンツの情報がホストコンピュータ３００に送信され、Ｗｅｂサーバ３１０に転送され、インターネット３３０上のＷｅｂサイトから選択されたコンテンツがＷｅｂサーバ３１０に一旦ダウンロードされる。そして、ホストコンピュータ３００を介して、ＡＴＭ１００にコンテンツがダウンロードされ、無線通信により携帯端末２００に送信される。なお、インターネット３３０上にある情報ではなく、ホストコンピュータ３００内にあるコンテンツをＡＴＭ１００に転送するようにしてもよい。
【００３８】
図７は、コンテンツのダウンロードの際の画面例である。
コンテンツダウンロード中画面４０３で、“中断”を選択するとコンテンツのダウンロードを中断することができる。
【００３９】
コンテンツのダウンロードが終了すると、携帯端末２００は、ＡＴＭ１００にコンテンツ受信完了信号を送出する。
図８は、コンテンツダウンロード完了画面例である。
【００４０】
コンテンツ受信完了信号を受信すると、表示部１１４は、このようなコンテンツダウンロード完了画面４０４を、顧客操作画面１０１上に表示する。
このように、本発明の実施の形態のＡＴＭ１００では、携帯端末２００の情報要求信号を受信して、顧客により選択されたコンテンツをダウンロードして携帯端末２００に提供するので、携帯端末２００がインターネット３３０に接続する際の通話料がかからない。しかもＡＴＭ１００がもつ専用線により、高速かつ大量のコンテンツの送受信が可能であり、情報のセキュリティも高い。
【００４１】
また、本発明の実施の形態のＡＴＭ１００を用いることで、自宅のＰＣ（パーソナルコンピュータ）でなくても、携帯端末２００上から取引履歴などの情報を確認可能になるので非常に有益である。また、ダウンロードしたパンフレット情報から購入を申し込む場合は、携帯端末２００から直接申し込んでもよく、また、ＡＴＭ１００経由で申し込んでも良い。変更届け出フォームの変更申し込みも同様である。
【００４２】
次に、図５のような取引選択画面４０１において、通常の取引処理の例として、“引き出し”が選択される場合のＡＴＭ１００の処理についてフローチャートを用いて説明する。
【００４３】
図９は、本発明の実施の形態のＡＴＭの処理の流れを説明するフローチャートである。
カードの挿入待ち処理（ステップＳ１）の後、カードがカード受付口１０４により挿入されると取引が開始される。まず、カード受付処理（ステップＳ２）を行い、カード読取部１１７にて、カードの情報を読み取る。次に暗証番号入力処理（ステップＳ３）を行い、顧客にタッチパネルなどの入力部１１３で暗証番号を入力させる。次に取引選択処理（ステップＳ４）を行う。
【００４４】
取引選択処理においては、図５で示したような取引選択画面４０１が表示される。ここで、“引き出し”が選択されると、金額入力処理（ステップＳ５）によって、引き出す金額を入力部１１３にて入力させる。
【００４５】
その後、専用線通信処理部１１９にて、カード情報や暗証番号、取引内容、金額などの情報を専用線でホストコンピュータ３００へ送信して確認させる（ステップＳ６）。そして、取引が許可されると、入出金処理部１１５にて、現金入出金部１０２に排出される現金の計数処理を開始する（ステップＳ７）。
【００４６】
本発明の実施の形態のＡＴＭ１００の、主制御部１１１は、ここで、通常のＡＴＭ取引（ここでは“引き出し”）を行う処理と、コンテンツを携帯端末２００にダウンロードする処理とにスレッドを分離して並列処理を行う。まず、コンテンツを携帯端末２００にダウンロードする処理について説明する。
【００４７】
ステップＳ７の計数処理が開始すると、表示部１１４により、顧客操作画面１０１に携帯端末２００へのダウンロード可能なコンテンツを表示する（ステップＳ８）。
図１０は、ダウンロードコンテンツ選択画面例である。
【００４８】
例えば、計数処理の際、ダウンロードしたいコンテンツが複数表示されたダウンロード情報選択画面４０５が、表示部１１４によって顧客操作画面１０１に表示される。なお、ここでは、金融機関固有の情報ではないＷｅｂコンテンツを選択可能にしている。これにより、金融機関は掲載料などを収入とし、また、小売店などは顧客拡大を図ることが可能となる。
【００４９】
ＡＴＭ１００の主制御部１１１は、顧客より、入力部１１３でダウンロード情報の選択がなされたか否かを判定し（ステップＳ９）、いずれかのダウンロード情報が選択された場合には、ダウンロードを開始し（ステップＳ１０）、選択されなかった場合にはダウンロードを行わずに終了する。
【００５０】
コンテンツのダウンロードが開始すると、ＡＴＭ１００は、顧客より選択されたコンテンツの情報を専用線通信処理部１１９にて、専用線によりホストコンピュータ３００に通知し、ＷＥＢサーバ３１０に転送する。ここで、選択されたコンテンツが存在するインターネット３３０上のサイトのＵＲＬ（Uniform Resource Locator）を指定して、そのサイトから、選択されたコンテンツをダウンロードする。ＷＥＢサーバ３１０へダウンロードされた情報は、ホストコンピュータ３００を経由してＡＴＭ１００へダウンロードされる。ＡＴＭ１００へダウンロードされたコンテンツは、無線通信処理部１２０にて携帯端末２００に提供される。
【００５１】
ＡＴＭ１００は、携帯端末２００のコンテンツ受信が完了したか否かを判定し（ステップＳ１１）、コンテンツ受信完了信号を受信して、受信が完了した場合には処理を終了し、完了していない場合には、ダウンロードを続ける。
【００５２】
一方、ステップＳ８〜Ｓ１１の処理と並列に行う通常の取引処理の“引き出し”処理では、計数が終了したか否かを判定する（ステップＳ１２）。
図１１は、計数処理終了時の画面例である。
【００５３】
計数処理終了通知画面４０６には、現金の計数が終了した旨が表示されるとともに、並列に行っているコンテンツのダウンロード処理がまだ終了していない場合には、データが送信中である旨が表示される。
【００５４】
計数が終了した場合には、現金やカードが、現金入出金部１０２、カード受付口１０４から放出される（ステップＳ１３）。
図１２は、現金取り出し及びカード返却の確認画面である。
【００５５】
確認画面４０７には、現金取り出し及びカード返却のための確認メッセージが表示されるとともに、並列に行っているコンテンツのダウンロード処理がまだ終了していない場合には、データが送信中である旨が表示される。
【００５６】
そして最後に、レシート発行部１１８により生成したレシートを、レシート発行口１０５から発行するか、通帳が入れられている場合には、通帳記入処理部１１６にて通帳に取引履歴が記入されて通帳受付部１０３より取りだされる（ステップＳ１４）。
【００５７】
なお、レシートの代わりに、携帯端末２００に取引履歴を送信するようにしてもよい。
このように、通常の顧客取引処理と、コンテンツのダウンロードを並列に行うので、ダウンロードしているときでも、次の顧客による取引が可能になり、行列などを解消することも期待できる。
【００５８】
次にコンテンツをダウンロードする際の携帯端末２００の動作について簡単に説明する。
図１３は、ＡＴＭ接続画面の例である。
【００５９】
コンテンツをダウンロードする際、携帯端末２００には、図１３のようなＡＴＭ接続画面４０８が表示され、ここで、例えば、ＡＴＭ接続を行う旨を入力して、通話キーを押すと、ＡＴＭ１００に対して、情報要求信号を送出し、受信モードになる。
【００６０】
図１４は、受信モード時の携帯端末の画面例である。
受信モード中画面４０９には、受信モード中である旨が表示される。
図１５は、受信完了画面の例である。
【００６１】
コンテンツのダウンロードが完了すると、携帯端末２００には、図１５のような受信完了画面４１０が表示される。ここで、例えば、「＊」キーを押すと、コンテンツ受信完了信号が、ＡＴＭ１００に送信される。
【００６２】
以上説明したように、本発明によれば、ＡＴＭ１００を利用して、携帯端末２００が情報を入手することが可能となるので、顧客に通信費などの負担をかけることなく、様々な情報をサービスとして、提供することが可能となる。そのため、金融機関の顧客サービス向上に大きく寄与することになる。
【００６３】
なお、上記では、コンテンツのダウンロードをホストコンピュータ３００を介して行うとして説明したが、セキュリティをあまり考慮しなくてもよい場合は、ＡＴＭ１００は、Ｗｅｂサーバ３１０に直接接続して、コンテンツのダウンロードを行うようにしてもよい。
【００６４】
また、上記では、ダウンロードするコンテンツの選択は、ＡＴＭ１００上にて行うとして説明したが、携帯端末２００上で予め選択されたコンテンツに関する情報をＡＴＭ１００に送信することで、ＡＴＭ１００がそのコンテンツをダウンロードして携帯端末２００に提供するようにしてもよい。
【図面の簡単な説明】
【００６５】
【図１】本発明の実施の形態のＡＴＭの機能を示す機能ブロック図である。
【図２】本発明の実施の形態のＡＴＭを用いたシステム構成例である。
【図３】本発明の実施の形態のＡＴＭの斜視図である。
【図４】ＡＴＭの構成を示すブロック図である。
【図５】取引選択画面の例である。
【図６】ダウンロードコンテンツ選択画面である。
【図７】コンテンツのダウンロードの際の画面例である。
【図８】コンテンツダウンロード完了画面例である。
【図９】本発明の実施の形態のＡＴＭの処理の流れを説明するフローチャートである。
【図１０】ダウンロードコンテンツ選択画面例である。
【図１１】計数処理終了時の画面例である。
【図１２】現金取り出し及びカード返却の確認画面である。
【図１３】ＡＴＭ接続画面の例である。
【図１４】受信モード時の携帯端末の画面例である。
【図１５】受信完了画面の例である。
【符号の説明】
【００６６】
１０  自動取引装置（ＡＴＭ）
１１  情報要求信号受信手段
１２  情報提供手段
１３  顧客取引処理手段
１４  並列処理制御手段
２０  携帯端末
３０  ホストコンピュータ
３１  Ｗｅｂサーバ
３２  インターネット
【図１】
2005339073.tif 000003
【図２】
2005339073.tif 000004
【図３】
2005339073.tif 000005
【図４】
2005339073.tif 000006
【図５】
2005339073.tif 000007
【図６】
2005339073.tif 000008
【図７】
2005339073.tif 000009
【図８】
2005339073.tif 000010
【図９】
2005339073.tif 000011
【図１０】
2005339073.tif 000012
【図１１】
2005339073.tif 000013
【図１２】
2005339073.tif 000014
【図１３】
2005339073.tif 000015
【図１４】
2005339073.tif 000016
【図１５】
2005339073.tif 000017